(57)【要約】【課題】缶から外れにくいだけでなく、缶にブランクを容易に装着させることができ、且つブランクの作製を容易にするブランクを提供する。【解決手段】第１の壁と、少なくとも第１のパネル折曲線を介して前記第１の壁に接続された第２の壁と、を備えるブランクにおいて、前記第１の壁は、物品を保持するための物品保持手段を有し、前記物品保持手段は、前記物品の一部を受け入れる物品受容開口部と、前記物品受容開口部に向けて突出するように設けられた凹部支持タブと、を備えており、前記凹部支持タブは、その基端部がタブ折曲線を介して前記第１の壁に接続されており、前記凹部支持タブの基端部の幅（Ｗ２）が前記凹部支持タブの最大幅（Ｗ１）以下である。【選択図】図２
2018095262.tif 000002
【特許請求の範囲】
【請求項１】
第１の壁と、
少なくとも第１のパネル折曲線を介して前記第１の壁に接続された第２の壁と、
を備えるブランクにおいて、
前記第１の壁は、物品を保持するための物品保持手段を有し、
前記物品保持手段は、前記物品の一部を受け入れる物品受容開口部と、前記物品受容開口部に向けて突出するように設けられた凹部支持タブと、を備えており、
前記凹部支持タブは、その基端部がタブ折曲線を介して前記第１の壁に接続されており、
前記凹部支持タブの基端部の幅（Ｗ２）が前記凹部支持タブの最大幅（Ｗ１）以下であることを特徴とする、ブランク。
【請求項２】
前記凹部支持タブの少なくとも一側部と前記物品受容開口部の縁部との境界はスリットで形成されており、前記スリットは前記タブ折曲線の一端から前記凹部支持タブの自由端に向かって延びていることを特徴とする請求項１に記載のブランク。
【請求項３】
前記凹部支持タブの幅が前記最大幅を有する部分から前記基端部に向かって徐々に減少することを特徴とする請求項１又は２に記載のブランク。
【請求項４】
前記一側部は前記物品受容開口部の前記縁部に当接していることを特徴とする請求項２に記載のブランク。
【請求項５】
前記スリットの前記タブ折曲線の前記一端に隣接する側の端部は、前記タブ折曲線と前記第１のパネル折曲線とを分断する位置に延在しており、
前記スリットにより前記凹部支持タブの前記一側部が前記凹部支持タブの残りの部分に対して折り曲げ自在な耳部となることを特徴とする請求項２に記載のブランク。
【請求項６】
前記耳部は、前記凹部支持タブに耳部折曲線を介して接続されていることを特徴とする請求項５に記載のブランク。
【請求項７】
前記スリットの前記端部は、前記タブ折曲線に向かって湾曲していることを特徴とする請求項５又は６に記載のブランク。
【請求項８】
少なくとも一方の端部に凹部を有する略円筒形状の物品を収納するカートンであって、
第１の壁と、
少なくとも第１のパネル折曲線を介して前記第１の壁に接続された第２の壁と、
を備え、
前記第１の壁は、前記物品を前記カートン内に保持するための物品保持手段を有し、
前記物品保持手段は、前記物品の一部を受け入れる物品受容開口部と、前記物品受容開口部に向けて突出するように設けられた凹部支持タブと、を備えており、
前記凹部支持タブは、その基端部がタブ折曲線を介して前記第１の壁に接続されており、
前記凹部支持タブの基端部の幅（Ｗ２）が前記凹部支持タブの最大幅（Ｗ１）以下であることを特徴とする、カートン。
【請求項９】
前記凹部支持タブの少なくとも一側部と前記物品受容開口部の縁部との境界はスリットで形成されており、前記スリットは前記タブ折曲線の一端から前記凹部支持タブの自由端に向かって延びていることを特徴とする請求項８に記載のカートン。
【請求項１０】
前記凹部支持タブの幅が前記最大幅を有する部分から前記基端部に向かって徐々に減少することを特徴とする請求項８又は９に記載のカートン。
【請求項１１】
前記一側部は前記物品受容開口部の前記縁部に当接していることを特徴とする請求項９に記載のカートン。
【請求項１２】
前記スリットの前記タブ折曲線の前記一端に隣接する側の端部は、前記タブ折曲線と前記第１のパネル折曲線とを分断する位置に延在しており、
前記スリットにより前記凹部支持タブの前記一側部が前記凹部支持タブの残りの部分に対して折り曲げ自在な耳部となることを特徴とする請求項９に記載のカートン。
【請求項１３】
前記耳部は前記凹部支持タブに耳部折曲線を介して接続されていることを特徴とする請求項１２に記載のカートン。
【請求項１４】
前記スリットの前記端部は、前記タブ折曲線に向かって湾曲していることを特徴とする請求項１２又は１３に記載のカートン。
【発明の詳細な説明】
【技術分野】
【０００１】
本発明は、ブランク、及び、当該ブランクから形成されたカートンに関し、特に複数の被包装物をまとめて１つに収容するのに適切なブランク及びカートンに関する。
【背景技術】
【０００２】
従来から、缶などの被包装物をまとめて保管、運搬、及び、販売するために、これらの被包装物をまとめて収容するための厚紙などから形成されたカートンが多く使用されている。
【０００３】
このようなカートンは一般的に、頂壁と、頂壁の両縁部に接続された一対の側壁と、一対の側壁に接続された底壁とを備え、その内部に被包装物を配置できるように筒状に形成されている。また、カートンの両端部はそれぞれ開口端となっている。
【０００４】
また、カートンの内部に配置されるべき被包装物としては、複数の缶が挙げられる。例えば、一般的なカートンの内部には、カートンが缶の上端部分、周壁、及び下端部分を取り囲む状態で、６本の缶を２列×３行となるように配置される。
【０００５】
このようなカートンはブランク材料を節約するために好適である。しかしながら、カートンの両端部が開口端となっているので、このようなカートンは、カートン内部に被包装物を適切に保持するための物品保持手段を備えなければならない。
【０００６】
このような物品保持手段は、凹部支持タブから形成されてもよく、又は、物品受容開口部と、物品受容開口部に向けて突出している凹部支部タブとによって形成されてもよい。これらの凹部支持タブは一般的に、略矩形状に形成されており、その幅が一定である（特許文献１及び特許文献３を参照）。また、このような凹部支持タブを缶の上端部分又は下端部分の凹部と係合させるためには、カートンを缶にかぶせた後で、凹部支持タブを缶の上端部分又は下端部分の凹部に押し込む必要があった。
【０００７】
さらに、凹部支持タブと物品受容開口部の縁部との間に所定の空間が形成されるので、凹部支持タブの縁部は、物品受容開口部の縁部と離間して配置される（特許文献２を参照）。そのため、物品受容開口部を形成するためにブランクを打ち抜き加工する際に、凹部支持タブと物品受容開口部との間に形成された小片を取り除く必要がある。このような小片は、凹部支持タブの接続端部に向けて先細になっているくさび形状を有する。
【先行技術文献】
【特許文献】
【０００８】
【特許文献１】特開昭５９−０６２４６４号公報
【特許文献２】特許第４５０５０６１号明細書
【特許文献３】特許第４３７３２８５号明細書
【発明の概要】
【発明が解決しようとする課題】
【０００９】
しかしながら、従来技術のような略矩形状の凹部支持タブでは、缶の上端部分又は下端部分における凹部の内周面と接触状態になる表面積が小さく、カートンの抜け落ち強度が低下し、カートン内部に収容された各缶がカートンから落下する可能性があった。
【００１０】
また、従来技術のような略矩形状の凹部支持タブを有するブランクを缶等の被包装物に適用する場合に、カートンを缶にかぶせてから、凹部支持タブを缶の上端部分又は下端部分の凹部に押し込むので、包装工程において、凹部支持タブが缶の上端部分又は下端部分の凹部と係合状態になるのに時間がかかっていた。
【００１１】
さらに、従来技術において、凹部支持タブと物品受容開口部との間に形成された、取り除かれるべき小片は、凹部支持タブの接続端部に向けて先細になっているくさび形状を有するため、打ち抜き加工する際にブランクに固着している可能性が高く、これらの小片を取り除くことが容易ではなかった。
【００１２】
本発明は、上記した従来の問題が考慮されたものであり、缶から外れにくい包装体を作製することができるブランクを提供することであり、好ましくは、缶から外れにくいだけでなく、缶にブランクを容易に装着させることができ、且つブランクの作製を容易にするブランクを提供することを目的としている。
【課題を解決するための手段】
【００１３】
本発明の第一の態様としては、第１の壁と、少なくとも第１のパネル折曲線を介して前記第１の壁に接続された第２の壁と、を備えるブランクにおいて、
前記第１の壁は、物品を保持するための物品保持手段を有し、
前記物品保持手段は、前記物品の一部を受け入れる物品受容開口部と、前記物品受容開口部に向けて突出するように設けられた凹部支持タブと、を備えており、
前記凹部支持タブは、その基端部がタブ折曲線を介して前記第１の壁に接続されており、
前記凹部支持タブの基端部の幅（Ｗ２）が前記凹部支持タブの最大幅（Ｗ１）以下であることを特徴としている。
【００１４】
上記のブランクによれば、前記凹部支持タブの少なくとも一側部と前記物品受容開口部の縁部との境界はスリットで形成されており、前記スリットは前記タブ折曲線の一端から前記凹部支持タブの自由端に向かって延びていることが好ましい。
【００１５】
上記のブランクによれば、前記凹部支持タブの幅が前記最大幅を有する部分から前記基端部に向かって徐々に減少することが好ましい。
【００１６】
上記のブランクによれば、前記一側部は前記物品受容開口部の前記縁部に当接していることが好ましい。
【００１７】
上記のブランクによれば、前記スリットの前記第１の壁に隣接する側の端部は、前記タブ折曲線と前記第１のパネル折曲線との間に延在しており、前記スリットにより前記凹部支持タブの前記一側部が前記凹部支持タブの残りの部分に対して折り曲げ自在な耳部となることが好ましい。
【００１８】
上記のブランクによれば、前記耳部は、前記凹部支持タブに耳部折曲線を介して接続されていることが好ましい。
【００１９】
上記のブランクによれば、前記スリットの前記端部は、前記タブ折曲線に向かって湾曲していることが好ましい。
【００２０】
本発明の第二の態様としては、少なくとも一方の端部に凹部を有する略円筒形状の物品を収納するカートンであって、第１の壁と、少なくとも第１のパネル折曲線を介して前記第１の壁に接続された第２の壁と、を備え、
前記第１の壁は、前記物品を前記カートン内に保持するための物品保持手段を有し、
前記物品保持手段は、前記物品の一部を受け入れる物品受容開口部と、前記物品受容開口部に向けて突出するように設けられた凹部支持タブと、を備えており、
前記凹部支持タブは、その基端部がタブ折曲線を介して前記第１の壁に接続されており、
前記凹部支持タブの基端部の幅（Ｗ２）が前記凹部支持タブの最大幅（Ｗ１）以下であることを特徴としている。
【００２１】
上記のカートンによれば、前記凹部支持タブの少なくとも一側部と前記物品受容開口部の縁部との境界はスリットで形成されており、前記スリットは前記タブ折曲線の一端から前記凹部支持タブの自由端に向かって延びていることが好ましい。
【００２２】
上記のカートンによれば、前記凹部支持タブの幅が前記最大幅を有する部分から前記基端部に向かって徐々に減少することが好ましい。
【００２３】
上記のカートンによれば、前記一側部は前記物品受容開口部の前記縁部に当接していることが好ましい。
【００２４】
上記のカートンによれば、前記スリットの前記第１の壁に隣接する側の端部は、前記タブ折曲線と前記第１のパネル折曲線との間に延在しており、前記スリットにより前記凹部支持タブの前記一側部が前記凹部支持タブの残りの部分に対して折り曲げ自在な耳部となることが好ましい。
【００２５】
上記のカートンによれば、前記耳部は前記凹部支持タブに耳部折曲線を介して接続されていることが好ましい。
【００２６】
上記のカートンによれば、前記スリットの前記端部は、前記タブ折曲線に向かって湾曲していることが好ましい。
【発明の効果】
【００２７】
本発明は、前記凹部支持タブは、その基端部がタブ折曲線を介して前記第１の壁に接続されており、前記凹部支持タブの基端部の幅（Ｗ２）が前記凹部支持タブの最大幅（Ｗ１）以下であるので、缶等の被包装物の上端部分又は下端部分における凹部の内周壁と接触状態になる凹部支持タブの表面積が広くなり、カートン内部に被包装物を安定して保持することができるとの効果を奏する。
【００２８】
また、本発明は、前記凹部支持タブは、その基端部がタブ折曲線を介して前記第１の壁に接続されており、前記凹部支持タブの基端部の幅（Ｗ２）が前記凹部支持タブの最大幅（Ｗ１）以下であるので、上記の形状を有するブランクを組み立てる際に第１の壁又は第２の壁を外側に一時的に折り曲げて、各凹部支持タブを各缶の上端部分又は下端部分における凹部の内側に位置させてから、その後第１の壁又は第２の壁を内側に折り曲げることで、凹部支持タブが、缶等の被包装物の包装工程中に、より迅速に、被包装物の上端部分又は下端部分における凹部の内周壁と係合状態になることができ、被包装物の迅速な包装を行うことができるとの効果を奏する。
【００２９】
さらに、本発明は、前記凹部支持タブは、その基端部がタブ折曲線を介して前記第１の壁に接続されており、前記凹部支持タブの基端部の幅（Ｗ２）が前記凹部支持タブの最大幅（Ｗ１）以下であるので、凹部支持タブの一側部と物品受容開口部の縁部との間に、ブランクに固着する可能性がある、取り除かれるべき小片が発生せず、物品受容開口部を形成するためにブランクを打ち抜き加工する際に、物品受容開口部に対応する部分をブランクから容易に取り除くことができるとの効果を奏する。
【図面の簡単な説明】
【００３０】
【図１】本発明の第一実施形態に係るブランクを示す平面図である。
【図２】本発明の第一実施形態に係るブランクの物品保持手段の拡大図である。
【図３】本発明の第一実施形態に係るブランクをカートンに組み立ている組立斜視図である。
【図４】本発明の第一実施形態に係るブランクから形成された、複数の缶をその内部に配置した包装体を示す斜視図である。
【図５】本発明の第二実施形態に係るブランクを示す平面図である。
【図６】本発明の第二実施形態に係るブランクの物品保持手段の拡大図である。
【図７】本発明の第二実施形態に係るブランクをカートンに組み立ている組立斜視図である。
【図８】本発明の第二実施形態に係るブランクから形成された、複数の缶をその内部に配置した包装体を示す斜視図である。
【発明を実施するための形態】
【００３１】
［第一実施形態］
以下、本発明に係るブランク及び当該ブランクから形成されたカートンの実施形態について図１〜図４を参照して説明する。
以下の説明において、方向を明確にするために、参照符号Ｘの方向を「第一方向」とし、その第一方向Ｘに直交する参照符号Ｙの方向を「第二方向」とする。
【００３２】
図１は、第一実施形態に係るブランク１００を示す平面図であり、図２は、第一実施形態に係るブランク１００の物品保持手段２００の拡大図であり、図３は、第一実施形態に係るブランク１００をカートン３００に組み立ている組立斜視図であり、図４は、第一実施形態に係るブランク１００から形成された、複数の缶１７０をその内部に配置した包装体３０４を示す斜視図である。
【００３３】
図１に示すように、ブランク１００は、全体として第一方向Ｘにおいて略矩形状を有しており、厚紙などから形成されている。第一方向Ｘにおけるブランク１００の両端部を互いに接続させることにより、図３及び図４に示されるような筒状のカートン３００を形成することができる。なお、ブランク１００はまた、プラスチックなどの他の材料から形成されてもよい。
【００３４】
図１に示すように、ブランク１００は、第一方向Ｘにおける略中央部において、略矩形状の頂壁１１０を有している。第一方向Ｘにおける頂壁１１０の一方の側縁は、第１パネル折曲線１３０を介して第１の側壁１１２に接続されており、頂壁１１０の他方の側縁は、第２パネル折曲線１３２を介して第２の側壁１１４に接続されている。第一方向Ｘにおいて、頂壁１１０に接続されている側縁と反対側の第１の側壁１１２の他方の側縁は、第３パネル折曲線１３４を介して第１の底部傾斜部１１６に接続されている。また、頂壁１１０に接続されている側縁と反対側の第２の側壁１１４の他方の側縁は、第４パネル折曲線１３６を介して第２の底部傾斜部１１８に接続されている。さらに、第１の側壁１１２に接続されている側縁と反対側の第１の底部傾斜部１１６の他方の側縁は、第５パネル折曲線１３８を介して第１の底壁１２０に接続されており、第２の側壁１１４に接続されている側縁と反対側の第２の底部傾斜部１１８の他方の側縁は第６パネル折曲線１４０を介して第２の底壁１２２に接続されている。カートン３００の底壁３０２はそれ故に、第１の底壁１２０及び第２の底壁１２２を接合することによって形成される。
【００３５】
頂壁１１０の略中央部には、運搬用開口部を構成するための一対の第１折曲部分１５２であって、その一部が第１折曲線１５４を介して頂壁１１０に接続される一対の第１折曲部分１５２と、折曲線を介して第１折曲部分１５２のそれぞれに接続された第２折曲部分１５８とが設けられている。これらの第１折曲部分１５２及び折曲部分１５８をカートン３００の内側に折り曲げながら、運搬用開口部内に使用者の指を挿入することによって、カートン３００の内部に収容された複数の缶１７０を容易に運搬することができる。また、頂壁１１０には、第二方向Ｙにおいて一方の端縁から他方の端縁まで延在している一対の破断線１５６が設けられており、第１折曲部分１５２及び第２折曲部分１５８は、その一対の破断線１５６の間に設けられている。それによって、使用者は、一対の破断線１５６の間で一方の端縁を把持し、他方の端縁に向けて引っ張ることによって、頂壁１１０を破断させることができ、複数の缶１７０を取り出すために包装体３０４を容易に開封することができる。本実施形態において、第二方向Ｙにおける頂壁１１０の寸法は、３本の缶１７０を並列して配置した場合に３本の缶１７０の上端部分１７２を被覆することができる寸法に対応しており、第一方向Ｘにおける頂壁１１０の寸法は、２本の缶１７０を並列して配置することができる寸法に対応する。ここで、缶１７０は略円筒形状であり、円形状の上端部分１７２と、円形状の下端部分１７４と、上端部分１７２と下端部分１７４との間に延在している周壁１７６とを備えている。上端部分１７２には、缶１７０の内側に向けて窪んでいる略平坦な凹部１７８が形成されており、下端部分１７４には、缶１７０の内側に向けて窪んでいるドーム形状の凹部１８０が形成されている。なお、缶１７０は飲料用の缶であってもよく、又は、他の用途の用の缶、例えばガスボンベ缶であってもよい。
【００３６】
第一方向Ｘにおける第１の側壁１１２及び第２の側壁１１４の寸法は、各缶１７０の高さ寸法と略同一である。また、第二方向Ｙにおける第１の側壁１１２及び第２の側壁１１４の寸法は、第二方向Ｙにおける頂壁１１０の寸法と略同一である。さらに、第１の側壁１１２と第１の底部傾斜部１１６との間の第３パネル折曲線１３４及び第２の側壁１１４と第２の底部傾斜部１１８との間の第４パネル折曲線１３６には、第二方向Ｙに対して垂直な方向（第一方向Ｘ）に、すなわち、第３パネル折曲線１３４及び第４パネル折曲線１３６に対して垂直な方向に延在している複数の第１スリット１９０が形成される。
【００３７】
図１及び図２に示されるように、第１の底部傾斜部１１６には、第１の底壁１２０から第１の側壁１１２に向けて延在し、且つ第二方向Ｙにおいて一定の間隔をあけて配置された３つの物品保持手段２００が設けられており、第２の底部傾斜部１１８には、第２の底壁１２２から第２の側壁１１４に向けて延在し、且つ第二方向Ｙにおいて一定の間隔をあけて配置された３つの物品保持手段２００が設けられている。これらの物品保持手段２００は、各缶１７０の下端部分１７４の一部を受容する略矩形状の物品受容開口部２０２と、物品受容開口部２０２に向けて突出するように形成された凹部支持タブ２０４と、を備える。
【００３８】
図１及び図２に示されるように、物品受容開口部２０２は、第１の底部傾斜部１１６から第１の側壁１１２に向けて又は第２の底部傾斜部１１８から第２の側壁１１４に向けて延在しており、物品受容開口部２０２の幅は第一方向Ｘにおいて、つまり、第１の底部傾斜部１１６から第１の側壁１１２に向けて又は第２の底部傾斜部１１８から第２の側壁１１４に向けて、漸進的に増加するように形成される。さらに、第１の側壁１１２側又は第２の側壁１１４側の物品受容開口部２０２の縁部は、第１の側壁１１２又は第２の側壁１１４に向かって膨らむように円弧状に湾曲している。
【００３９】
凹部支持タブ２０４は、タブ折曲線２０６を介して、第１の底壁１２０又は第２の底壁１２２に接続されている。タブ折曲線２０６は、第５パネル折曲線１３８又は第６パネル折曲線１４０上から延在し始めており、第５パネル折曲線１３８又は第６パネル折曲線１４０上で終端している。このようなタブ折曲線２０６は、物品受容開口部２０２と反対側に向かって膨らんでいるように円弧状に形成されている。また、物品受容開口部２０２側の凹部支持タブ２０４の自由端は、第二方向Ｙに対して平行であり、直線状に形成される。
【００４０】
凹部支持タブ２０４の両側部（又は一側部）とそれらに隣接する物品受容開口部２０２の縁部との境界は、第２スリット２０８で形成されているが、凹部支持タブ２０４の両側部（又は一側部）と物品受容開口部２０２の縁部との間に実質的な隙間は無く、凹部支持タブ２０４の両側部（又は一側部）と物品受容開口部２０２の縁部とは互いに当接するように配置されている。この第２スリット２０８はタブ折曲線２０６の一端から凹部支持タブ２０４の自由端に向かって延びている。さらに、第１の底部傾斜部１１６の一部から形成された凹部支持タブ２０４の幅は、第一方向Ｘに沿って第１の底壁１２０から第１の側壁１１２に向かう方向に漸次増加するように形成されており、第２の底部傾斜部１１８の一部から形成された凹部支持タブ２０４の幅は、第一方向Ｘに沿って第２の底壁１２２から第２の側壁１１４に向かう方向に漸次増加するように形成される。つまり、第１の底壁１２０又は第２の底壁１２２に接続されている凹部支持タブ２０４の基端部は、幅Ｗ２を有しており、物品受容開口部２０２側の凹部支持タブ２０４の自由端は、最大幅Ｗ１を有している。そのため、凹部支持タブ２０４の基端部の幅Ｗ２は、凹部支持タブ２０４の最大幅Ｗ１以下であり、凹部支持タブ２０４は、凹部支持タブ２０４の幅が、最大幅Ｗ１を有する部分から凹部支持タブ２０４の基端部に向けて徐々に減少するように形成される。
【００４１】
第１の底壁１２０又は第２の底壁１２２に隣接する側の第２スリット２０８の端部２１０は、タブ折曲線２０６に向かって湾曲して第５パネル折曲線１３８又は第６パネル折曲線１４０とタブ折曲線２０６とを分断する位置に延在している。このような端部２１０を持つ第２スリット２０８により凹部支持タブ２０４の両側部（又は一側部）が第１又は第２の底部傾斜部１１６、１１８および第１又は第２の底壁１２０、１２２の拘束から自由になる。これにより凹部支持タブ２０４の両側部は凹部支持タブ２０４の残りの部分に対して折り曲げ自在な耳部２１２を形成する。これら耳部２１２は凹部支持タブ２０４の両側から第二方向外方に延びて、カートン３００の組立時に凹部支持タブ２０４の残りの部分とともに缶１７０の下端部分１７４における凹部１８０の内周面に当接する。図２における参照符号２１４は耳部折曲線である。耳部折曲線２１４は耳部２１２を凹部支持タブ２０４に対して折り曲げ自在に接続するものであって、たとえばスリット等により形成されてもよい。
【００４２】
耳部折曲線２１４は、第５パネル折曲線１３８又は第６パネル折曲線１４０に対して略垂直な方向（つまり、第一方向Ｘ）に延在している。この耳部折曲線２１４の一方の端部は、前記第２スリット２０８の端部２１０に隣接して設けられている。
【００４３】
さらに、凹部支持タブ２０４はまた、一対の折曲線２１６を備える。折曲線２１６は、凹部支持タブ２０４の両先端角部を略三角形状に折り曲げて缶１７０の下端部分１７４における凹部１８０の内周面の形状に沿わせることができるように、凹部支持タブ２０４の両先端角部に形成されている。折曲線２１６もたとえばスリット等により形成されてもよい。
【００４４】
図１を参照すると、第２の底壁１２２には、第二方向Ｙにおいて一定の間隔をあけて配置された４つの「きのこ」形状の連結タブ２３０が設けられている。各連結タブ２３０は、切断線２３２によって形成されており、第２の底部傾斜部１１８側の連結タブ２３０の接続部分は第２折曲線２３４を介して第２の底壁１２２に接続されている。
【００４５】
また、第１の底壁１２０には、第二方向Ｙにおいて一定の間隔をあけて配置された４つのタブ嵌合開口部２３６が設けられている。タブ嵌合開口部２３６は略矩形状であり、略「コ」字状の切断線により形成されている。タブ嵌合開口部２３６のそれぞれは、連結タブ２３０のそれぞれに対応する位置に設けられている。
【００４６】
カートン３００を形成するためにブランク１００を組み立てる際に、各連結タブ２３０を各タブ嵌合開口部２３６に嵌合させることにより、第１の底壁１２０を第２の底壁１２４に接続させて、カートン３００の底壁３０２を形成することができる。なお、第１の底壁１２０と第２の底壁１２２との接続手段については、本実施形態に限定されず、第１の底壁１２０及び第２の底壁１２２の端縁を接着材料などにより接着させてもよい。
【００４７】
さらに、第一方向Ｘに沿って延在している頂壁１１０、第１の側壁１１２及び第２の側壁１１４、並びに第１の底壁１２０及び第２の底壁１２２の両端部には、凹部２４０がそれぞれ形成される。それにより、第一方向Ｘに延在しているブランク１００の両端部に沿って、これらの凹部２４０の間に位置した凸部２４２がそれぞれ形成される。
【００４８】
頂壁１１０と第１の側壁１１２又は第２の側壁１１４との間に亘って形成される凸部２４２は、カートン３００の内部に複数の缶１７０を保持するための物品被覆手段２４４を構成する。各物品被覆手段２４４は、複数のスリットを有する第３折曲線２４６を介して第１の側壁１１２又は第２の側壁１１４に接続された折り返し片２４８と、ウェブ片２５２に向けて膨らんでいるスリットを有する第４折曲線２５０を介して折り返し片２４８に接続されたウェブ片２５２と、第１パネル折曲線１３０又は第２パネル折曲線１３２と同一直線上に位置した第５折曲線２５４を介してウェブ片２５２に接続された被覆片２５６であって、第６折曲線２５８を介して頂壁１１０に接続された被覆片２５６と、缶１７０の上端部分１７２の一部を受容する略ひし形形状の開口部２６０と、を備えている。
【００４９】
ブランク１００を組み立てる際に、第４折曲線２５０を谷折り（外側）に折り曲げて、第３折曲線２４６、第５折曲線２５４及び第６折曲線２５８を山折り（内側）に折り曲げることによって、物品被覆手段２４４は、カートン３００の内部に収容された缶１７０の上端部分１７２及び周壁１７６の上部分を立体的に当接することができる。これにより、カートン３００の内部に各缶１７０を安定して保持することができる。
【００５０】
次に、図１及び図２に示されたブランク１００をカートン３００に組み立てる手順について説明する。
まず、ブランク１００の頂壁１１０上に各缶を２列×３行に整列配置させる。次いで、ブランク１００の第４折曲線２５０を谷折り（外側）に折り曲げて、第３折曲線２４６、第５折曲線２５４及び第６折曲線２５８を山折り（内側）に折り曲げ、それによって、各被覆片２５６及び各ウェブ片２５２の内面を各缶１７０の上端部分１７２及び周壁１７６の上部分に立体的に沿うように配置させる。また、ブランク１００の第１パネル折曲線１３０及び第２パネル折曲線１３２を山折り（内側）に折り曲げて、各折り返し片２４８の内面を第１の側壁１１２又は第２の側壁１１４の内面に当接させるとともに、第１の側壁１１２及び第２の側壁１１４の内面を各缶１７０の周壁１７６に沿うように配置させる。
【００５１】
次いで、第３パネル折曲線１３４及び第４パネル折曲線１３６を山折り（内側）に折り曲げて、第１の底部傾斜部１１６及び第２の底部傾斜部１１８を各缶１７０の下端部分１７４における傾斜部分に沿うように配置させる。
【００５２】
その後、第１の底壁１２０及び第２の底壁１２２を外向きに開くように第５パネル折曲線１３８及び第６パネル折曲線１４０を谷折り（外側）に一時的に折り曲げて、各凹部支持タブ２０４をブランク１００から突出した状態にさせる。突出した凹部支持タブ２０４のそれぞれを、各缶１７０の下端部分１７４における凹部１８０の縁部の内側に位置させる。その後、図３に示されるように、第１の底壁１２０及び第２の底壁１２２を接合するために第５パネル折曲線１３８及び第６パネル折曲線１４０を山折り（内側）に折り曲げて、各凹部支持タブ２０４を各缶１７０の下端部分１７４における凹部１８０の内周面に係合させる。
【００５３】
そして、第１の底壁１２０及び第２の底壁１２２を重ね合わせて、各連結タブ２３０を各タブ嵌合開口部２３６に嵌合させ、第１の底壁１２０及び第２の底壁１２２を接続することで、図４に示されるように、カートン３００の底壁３０２を構成し、各缶１７０の下端部分１７４を被覆する。
【００５４】
次に、本実施形態の作用及び効果について説明する。
本実施形態によれば、第１の底部傾斜部１１６の一部から形成された物品保持手段２００の凹部支持タブ２０４の幅が、第一方向Ｘに沿って第１の底壁１２０から第１の側壁１１２に向かう方向において漸次増加するように形成されており、第２の底部傾斜部１１８の一部から形成された物品保持手段２００の凹部支持タブ２０４の幅は、第一方向Ｘに沿って第２の底壁１２２から第２の側壁１１４に向かう方向において漸次増加するように形成される。つまり、第１の底壁１２０又は第２の底壁１２２に接続されている凹部支持タブ２０４の基端部は、幅Ｗ２を有しており、物品受容開口部２０２側の凹部支持タブ２０４の自由端は、最大幅Ｗ１を有している。そのため、凹部支持タブ２０４の基端部の幅Ｗ２は、凹部支持タブ２０４の最大幅Ｗ１以下であり、凹部支持タブ２０４は、凹部支持タブ２０４の幅が、最大幅Ｗ１を有する部分から凹部支持タブ２０４の基端部に向けて徐々に減少するように形成される。また、第１の底壁１２０又は第２の底壁１２２に隣接する側の第２スリット２０８の端部２１０は、タブ折曲線２０６に向かって湾曲して第５パネル折曲線１３８又は第６パネル折曲線１４０とタブ折曲線２０６とを分断する位置に延在している。このような端部２１０を持つ第２スリット２０８により凹部支持タブ２０４の両側部が第１又は第２の底部傾斜部１１６、１１８および第１又は第２の底壁１２０、１２２の拘束から自由になる。それによって、凹部支持タブ２０４は、凹部支持タブ２０４の残りの部分に対して折り曲げ自在な耳部２１２であって、カートン３００の組立時に缶１７０の下端部分１７４における凹部１８０の内周面に当接する、第二方向外方に延在している耳部２１２を備える。
そのため、缶１７０等の被包装物の下端部分１７４における凹部１８０の内周壁と当接状態（接触状態）になる、凹部支持タブ２０４の表面積が広くなり、カートン３００の抜け落ち強度が高まり、カートン３００の内部に缶１７０等の被包装物を安定して保持することができる。
【００５５】
さらに、本実施形態によれば、タブ折曲線２０６に向かって湾曲している端部２１０を持つ第２スリット２０８により凹部支持タブ２０４の両側部が第１又は第２の底部傾斜部１１６、１１８および第１又は第２の底壁１２０、１２２の拘束から自由になり、凹部支持タブ２０４の両側部は凹部支持タブ２０４の残りの部分に対して折り曲げ自在な耳部２１２を形成し、これらの耳部は凹部支持タブ２０４の両側から第二方向外方に延びて、カートン３００の組立時に凹部支持タブ２０４の残りの部分とともに缶１７０の下端部分１７４における凹部１８０の内周面に当接するので、カートン３００を組み立てる際に、第１の底壁１２０及び第２の底壁１２２を外側に一時的に折り曲げて、ブランク１００から凹部支持タブ２０４を突出させて、凹部支持タブ２０４を各缶１７０の下端部分１７４における凹部１８０の内側に位置させ、その後第１の底壁１２０及び第２の底壁１２２を内側に折り曲げて、各凹部支持タブ２０４を各缶１７０の下端部分１７４における凹部１８０の内周面と係合させる。
そのため、凹部支持タブ２０４が、缶１７０等の被包装物の包装工程中に、より迅速に、缶１７０等の被包装物の下端部分１７４における凹部１８０の内周壁と係合状態になることができ、被包装物の迅速な包装を行うことができる。
【００５６】
また、本実施形態によれば、凹部支持タブ２０４の両側部（又は一側部）と物品受容開口部２０２の縁部との境界は、第２スリット２０８で形成されているが、凹部支持部タブ２０４の両側部（又は一側部）と物品受容開口部２０２の縁部との間に実質的な隙間はなく、凹部支持部タブ２０４の両側部（又は一側部）と物品受容開口部２０２の縁部とは互いに当接するように配置されている。
そのため、打ち抜き加工によりブランク１００に物品受容開口部２０２を形成する際に、凹部支持タブ２０４の両側部と物品受容開口部２０２の縁部との間には、取り除くべき小片が生じず、物品受容開口部２０２に対応する部分をブランク１００から容易に取り除くことができる。
【００５７】
［第二実施形態］
ここから、本発明の第二実施形態に係るブランク５００について説明する。なお、上述した第一実施形態と同様の特徴については説明を適宜省略する。
【００５８】
図５には、第二実施形態に係るブランク５００を示す平面図であり、図６は、第二実施形態に係るブランク５００の物品保持手段６００の拡大図であり、図６は、第二実施形態に係るブランク５００をカートン７００に組み立ている組立斜視図であり、図７は、第二実施形態に係るブランク５００から形成された、複数の缶１７０をその内部に配置した包装体７０４を示す斜視図である。
【００５９】
図５に示されるように、ブランク５００は、第一方向Ｘにおける略中央部において、略矩形状の底壁５２６を有している。第一方向Ｘにおいて、底壁５２６の一方の側縁は第５パネル折曲線５３８を介して第１の底部傾斜部５２２に接続されており、底壁５２６の他方の側縁は第６パネル折曲線５４０を介して第２の底部傾斜部５２４に接続されている。底壁５２６に接続されている側縁と反対側の第１の底部傾斜部５２２の他方の側縁は、第３パネル折曲線５３４を介して第１の側壁５１８に接続されている。また、底壁５２６に接続されている側縁と反対側の第２の底部傾斜部５２４の他方の側縁は、第４パネル折曲線５３６を介して第２の側壁５２０に接続されている。さらに、第１の底部傾斜部５２２に接続されている側縁と反対側の第１の側壁５１８の他方の側縁は第７パネル折曲線５４２を介して第１の上部傾斜部５１４に接続されており、第２の底部傾斜部５２４に接続されている側縁と反対側の第２の側壁５２０の他方の側縁は第８パネル折曲線５４４を介して第２の上部傾斜部５１６に接続されている。また、第１の側壁５１８に接続されている側縁と反対側の第１の上部傾斜部５１４の他方の側縁は第１パネル折曲線５３０を介して第１の頂壁５１０に接続されており、第２の側壁５２０に接続されている側縁と反対側の第２の上部傾斜部５１６の他方の側縁は第２パネル折曲線５３２を介して第２の頂壁５１２に接続されている。カートン７００の頂壁７０２はそれ故に、第１の頂壁５１０及び第２の頂壁５１２を接合することによって形成される。
【００６０】
第一方向Ｘにおける第１の頂壁５１０の寸法は、第一方向Ｘにおける第２の頂壁５１２の寸法より短く、カートン７００の組立時に、第２の頂壁５１２が第１の頂壁５１０の外側に存在するように第２の頂壁５１２が第１の頂壁５１０に連結される。
【００６１】
第１の頂壁５１０には、運搬用開口部５５０を構成するための一対の開口部５５８が形成されている。
一方、第一方向Ｘにおける第２の頂壁５１２の略中央部分には、運搬用開口部５５０を構成するための一対の折曲部分５５２が形成されている。折曲部分５５２の一方の部分は、第１折曲線５５４を介して第２の頂壁５１２に接続されており、折曲部分５５２の他方の部分は略Ｕ字形状の切断線５５６により第２の頂壁５１２から切断されている。折曲部分５５２の形状は開口部５５８の形状と略同一である。
【００６２】
第１の頂壁５１０を第２の頂壁５１２と接合してカートン７００の頂壁７０２を構成する際に、第１の頂壁５１０の開口部５５８は第２の頂壁５１２の折曲部分５５２と位置合わせされる。次いで、折曲部分５５２が開口部５５８を通じてカートン７００の内部に延在するように第１折曲線５５４に関して折り曲げられて、運搬用開口部５５０を構成する。
【００６３】
第一実施形態の第１の底壁１２０のタブ嵌合開口部２３６及び第２の底壁１２２の連結タブ２３０の代わりに、第二実施形態において、第２の上部傾斜部５１６が接続している側縁と反対側の第２の頂壁５１２の他方の側縁には、第二方向Ｙにおいて一定の間隔をあけて配置された２つの連結タブ６３０が設けられている。これらの連結タブ６３０は略「きのこ」形状である。また、連結タブ６３０は第一方向Ｘにおいて外側に向けて突出しており、第２折曲線６３４を介して第２の頂壁５１２に接続されている。第２の頂壁５１２に対する連結タブ６３０の接続部分には、第一方向Ｘに延在する一対の第５スリット６３２が設けられている。
【００６４】
また、第１の頂壁５１０における第１の上部傾斜部５１４付近には、第二方向Ｙにおいて一定の間隔をあけて配置された２つのタブ嵌合開口部６３６が設けられている。各タブ嵌合開口部６３６は略矩形状であり、略「コ」字状の切断線６３８により形成されている。また、第６スリット６４０が、タブ嵌合開口部の各角部から第１の上部傾斜部５１４又は第２の上部傾斜部５１６に向けて第二方向外方に傾斜して延在している。タブ嵌合開口部６３６のそれぞれは、連結タブ６３０のそれぞれに対応する位置に設けられている。
【００６５】
カートン７００を形成するためにブランク５００を組み立てる際に、各連結タブ６３０を各タブ嵌合開口部６３６に嵌合させることにより、第２の頂壁５１２を第１の頂壁５１０に接続させて、カートン７００の頂壁７０２を形成することができる。なお、第１の頂壁５１０と第２の頂壁５１２との接続手段については、本実施形態に限定されず、第１の頂壁５１０及び第２の頂壁５１２の端縁を接着材料などにより接着させてもよい。
【００６６】
図５及び図６に示されるように、第一実施形態における第１の底部傾斜部１１６及び第２の底部傾斜部１１８における物品保持手段２００の代わりに、第二実施形態における第１の上部傾斜部５１４には、第１の頂壁５１０から第１の側壁５１８に向けて延在する３つの物品保持手段６００が設けられており、第２の上部傾斜部５１６には、第２の頂壁５１２から第２の側壁５２０に向けて延在する３つの物品保持手段６００が設けられている。これらの物品保持手段６００は、各缶１７０の上端部分１７２を受容する略三角形形状の物品受容開口部６０２と、物品受容開口部６０２に向けて突出するように形成された凹部支持タブ６０４と、を備える。
【００６７】
図６に示されるように、物品受容開口部６０２は、第１の上部傾斜部５１４から第１の側壁５１８に向けて又は第２の上部傾斜部５１６から第２の側壁５２０に向けて延在しており、物品受容開口部６０２の幅は第一方向Ｘにおいて、第１の上部傾斜部５１４から第１の側壁５１８に向けて又は第２の上部傾斜部５１６から第２の側壁５２０に向けて、漸次減少するように形成される。
【００６８】
凹部支持タブ６０４は、タブ折曲線６０６を介して、第１の頂壁５１０又は第２の頂壁５１２に接続されている。これらのタブ折曲線６０６は、第１パネル折曲線５３０又は第２パネル折曲線５３２上から延在し始めており、第１パネル折曲線５３０又は第２パネル折曲線５３２上で終端している。このタブ折曲線６０６は、物品受容開口部６０２と反対側に向けて膨らんでいるように円弧状に形成されている。
【００６９】
さらに、第１の上部傾斜部５１４の一部から形成された凹部支持タブ６０４の幅は、第一方向Ｘに沿って第１の頂壁５１０から第１の側壁５１８に向かう方向において漸次増加するように形成されており、最大幅Ｗ１を得た後で、物品受容開口部６０２側の凹部支持タブ６０４の自由端に向けて漸次減少する。さらに、第２の上部傾斜部５１６の一部から形成された凹部支持タブ６０４の幅は、第一方向Ｘに沿って第２の頂壁５１２から第２の側壁５２０に向かう方向において漸次増加するように形成されており、最大幅Ｗ１を得た後で、物品受容開口部６０２側の凹部支持タブ６０４の自由端に向けて漸次減少する。つまり、第１の頂壁５１０又は第２の頂壁５１２に接続されている凹部支持タブ６０４の基端部は、幅Ｗ２を有しており、凹部支持タブ６０４は、その基端部と物品受容開口部６０２側の自由端との間に最大幅Ｗ１を有している。そのため、凹部支持タブ６０４の基端部の幅Ｗ２は、凹部支持タブ６０４の最大幅Ｗ１以下であり、凹部支持タブの基端部の幅Ｗ２は、物品受容開口部６０２側の凹部支持タブ６０４の自由端における幅以下である。さらに、凹部支持タブ６０４は、凹部支持タブ６０４の幅が、最大幅Ｗ１を有する部分から凹部支持タブ２０４の基端部に向けて徐々に減少するように形成される。また、凹部支持タブ６０４の両側部（又は一側部）とそれらに隣接する物品受容開口部６０２の縁部との境界は、第２スリット６０８により形成されている。凹部支持タブ６０４の両側部と物品受容開口部６０２の縁部との間に実質的な隙間は無く、凹部支持タブ６０４の両側部と物品受容開口部６０２の縁部とは互いに当接するように配置される。この第２スリット６０８はタブ折曲線６０６の一端から凹部支持タブ６０４の自由端に向かって延びている。
【００７０】
第１の頂壁５１０又は第２の頂壁５１２に隣接する側の第２スリット６０８の端部６１０は、タブ折曲線６０６に向かって湾曲して、第１パネル折曲線５３０又は第２パネル折曲線５３２とタブ折曲線６０６とを分断する位置に延在している。このような端部６１０を持つ第２スリット６０８により凹部支持タブ６０４の両側部（又は一側部）が第１又は第２の上部傾斜部５１４、５１６および第１または第２の頂壁５１０、５１２の拘束から自由になる。これにより凹部支持タブ６０４の両側部は凹部支持タブ６０４の残りの部分に対して折り曲げ自在な耳部６１２を形成する。これら耳部６１２は凹部支持タブ６０４の両側から第２方向外方に延びて、カートン７００の組立時に凹部支持タブ６０４の残りの部分とともに缶１７０の上端部分１７２における凹部１７８の内周面に当接する。
【００７１】
また、一対の耳部折曲線６１４は、耳部６１２を凹部支持タブ６０４の残りの部分に折り曲げ自在に接続する。耳部折曲線６１４は第１パネル折曲線５３０又は第２パネル折曲線５３２に対して略垂直な方向（つまり、第一方向Ｘ）に延在している。この耳部折曲線６１４の一方の端部は、スリット６０８の端部６１０に隣接して設けられている。この耳部折曲線６１４はスリット等により形成されてもよい。
【００７２】
また、第二実施形態において、第１の底部傾斜部５２２には、第１の側壁５１８から底壁５２６に向けて延在しており、且つ第二方向Ｙにおいて一定の間隔をあけて配置された３つの第２の物品保持手段６７０が設けられており、第２の底部傾斜部５２４には、第２の側壁５２０から底壁５２６に向けて延在しており、且つ第二方向Ｙにおいて一定の間隔をあけて配置された３つの第２の物品保持手段６７０が設けられている。
【００７３】
第２の物品保持手段６７０は、各缶１７０の下端部分１７４を受容するための、略矩形状の第２物品受容開口部６７２と、第２物品受容開口部６７２に向けて突出している保持タブ６７４が設けられている。
【００７４】
底壁５２６側の第２物品受容開口部６７２の縁部は、第２物品受容開口部６７２に向けて突出している円弧状の縁部６７６であり、この円弧状の縁部６７６は、第５パネル折曲線５３８又は第６パネル折曲線５４０上から延在し始めており、第５パネル折曲線５３８又は第６パネル折曲線５４０上で終端している。円弧状の縁部６７６は、缶１７０の下端部分１７４における凹部１８０の内周面と係合する。
【００７５】
第一方向Ｘにおいて底壁５２６から第１の側壁５１８又は第２の側壁５２０に向けて延在している第２物品受容開口部６７２の両縁部は、左右対称に形成された略「く」形状であり、第一方向Ｘにおいて延在している第２物品受容開口部６７２の両縁部間の間隔が第３パネル折曲線５３４又は第４パネル折曲線５３６上で最大になるようになっている。
【００７６】
第１の側壁５１８側又は第２の側壁５２０側の第２物品受容開口部６７２の縁部には、略「Ｃ」字形状の保持タブ６７４が設けられており、第２物品受容開口部６７２側の保持タブ６７４の縁部は、第二方向Ｙに対して平行に形成されている。第１の側壁５１８又は第２の側壁５２０に対する保持タブ６７４の接続部分には、第二方向外方に傾斜して形成された第７スリット６７８が設けられている。
【００７７】
第一実施形態における頂壁１１０の一対の破断線１５６の代わりに、第二実施形態における第１の側壁５１８には、包装体７０４を容易に開封するための、第二方向Ｙにおいて一方の端縁から他方の端縁まで互いに平行に延在している一対の破断線５６０が設けられている。なお、この一対の破断線５６０は第２の側壁に設けられてもよい。
【００７８】
また、第一実施形態における頂壁１１０、第１の側壁１１２及び第２の側壁１１４、並びに第１の底壁１２０及び第２の底壁１２２の両端部における凹部２４０及び当該凹部２４０の間の凸部２４２の代わりに、第二実施形態においては、第一方向Ｘにおける第１の頂壁５１０及び第２の頂壁５１２、第１の上部傾斜部５１４及び第２の上部傾斜部５１６、第１の側壁５１８及び第２の側壁５２０、第１の底部傾斜部５２２及び第２の底部傾斜部５２４、並びに底壁５２６の両端部は、直線状に形成されている。
【００７９】
次に、図５及び図６に示されたブランク５００をカートン７００に組み立てる手順について説明する。
まず、ブランク５００の底壁５２６上に各缶１７０を２列×３行に整列配置される。この配置状態において、ブランク５００の第５パネル折曲線５３８及び第６パネル折曲線５４０を山折り（内側）に折り曲げることで、各缶１７０の下端部分１７４の一部は、第２の物品保持手段６７０のそれぞれにおける第２物品受容開口部６７２内に受容されて、底壁５２６側の第２物品受容開口部６７２の縁部が各缶１７０の下端部分１７４における凹部１８０の内周面に係合する。
【００８０】
次いで、ブランク５００の第３パネル折曲線５３４及び第４パネル折曲線５３６を山折り（内側）に折り曲げて、第１の側壁５１８及び第２の側壁５２０の内面が各缶１７０の周壁１７６に沿うように配置させる。
【００８１】
その後、ブランク５００の第７パネル折曲線５４２及び第８パネル折曲線５４４を山折り（内側）に折り曲げて、第１の上部傾斜部５１４及び第２の上部傾斜部５１６の内壁が各缶１７０の上端部分１７２における傾斜部分に沿うように配置させる。
【００８２】
次いで、第１の頂壁５１０及び第２の頂壁５１２を外向きに開くように第１パネル折曲線５３０及び第２パネル折曲線５３２を谷折り（外側）に一時的に折り曲げて、各物品保持手段６００の凹部支持タブ６０４をブランク５００から突出した状態にさせる。突出した凹部支持タブ６０４を、各缶１７０の上端部分１７２における凹部１７８の縁部の内側に位置させる。その後、図７に示されるように、第１の頂壁５１０及び第２の頂壁５１２を接合させるために第１パネル折曲線５３０及び第２パネル折曲線５３２を山折り（内側）に折り曲げて、各凹部支持タブ６０４を各缶１７０の上端部分１７２における凹部１７８の内周面に係合させる。
【００８３】
そして、第２の頂壁５１２の折曲部分５５２を第１の頂壁５１０の開口部５５８と位置合わさせるように第２の頂壁５１２を第１の頂壁５１０上に重ね合わせて、各連結タブ６３０を各タブ嵌合開口部６３６に嵌合させ、第１の頂壁５１０及び第２の頂壁５１２を接続することで、図８に示されるように、カートン７００の頂壁７０２を構成し、各缶１７０の上端部分１７２を被覆する。
【００８４】
次に、本実施形態の作用及び効果について説明する。
本実施形態によれば、第１の上部傾斜部５１４の一部から形成された物品保持手段６００の凹部支持タブ６０４の幅が、第一方向Ｘに沿って第１の頂壁５１０から第１の側壁５１８に向かう方向において漸次増加するように形成されており最大幅Ｗ１を得た後で、物品受容開口部６０２側の凹部支持タブ６０４の自由端に向けて漸次減少する。さらに、第２の上部傾斜部５１６の一部から形成された物品保持手段６００の凹部支持タブ６０４の幅は、第一方向Ｘに沿って第２の頂壁５１２から第２の側壁５２０に向かう方向において漸次増加するように形成されており、最大幅Ｗ１を得た後で、物品受容開口部６０２側の凹部支持タブ６０４の自由端に向けて漸次減少する。つまり、第１の頂壁５１０又は第２の頂壁５１２に接続されている凹部支持タブ６０４の基端部は、幅Ｗ２を有しており、凹部支持タブ６０４は、その基端部と物品受容開口部６０２側の自由端との間に最大幅Ｗ１を有している。そのため、凹部支持タブ６０４の基端部の幅Ｗ２は、凹部支持タブ６０４の最大幅Ｗ１以下であり、凹部支持タブの基端部の幅Ｗ２は、物品受容開口部６０２側の凹部支持タブ６０４の自由端における幅以下である。さらに、凹部支持タブ６０４は、凹部支持タブ６０４の幅が、最大幅Ｗ１を有する部分から凹部支持タブ２０４の基端部に向けて徐々に減少するように形成される。また、第１の頂壁５１０又は第２の頂壁５１２に隣接する側の第２スリット６０８の端部６１０は、タブ折曲線６０６に向かって湾曲して、第１パネル折曲線５３０又は第２パネル折曲線５３２とタブ折曲線６０６とを分断する位置に延在している。このような端部６１０を持つ第２スリット６０８により凹部支持タブ６０４の両側部（又は一側部）が第１又は第２の上部傾斜部５１４、５１６および第１または第２の頂壁５１０、５１２の拘束から自由になる。それによって、凹部支持タブ６０４は、凹部支持タブ６０４の残りの部分に対して折り曲げ自在な耳部６１２であって、カートン７００の組立時に缶１７０の上端部分１７２における凹部１７８の内周面に当接する、第二方向外方に延在している耳部６１２を備える。
そのため、缶１７０等の被包装物の上端部分１７２における凹部１７８の内周壁と当接状態（接触状態）になる、凹部支持タブ６０４の表面積が広くなり、カートン７００の抜け落ち強度が高められ、カートン７００の内部に缶１７０等の被包装物を安定して保持することができる。
【００８５】
さらに、本実施形態によれば、タブ折曲線６０６に向かって湾曲している端部６１０を持つ第２スリット６０８により凹部支持タブ６０４の両側部（又は一側部）が第１又は第２の上部傾斜部５１４、５１６および第１または第２の頂壁５１０、５１２の拘束から自由になり、凹部支持タブ６０４の両側部は凹部支持タブ６０４の残りの部分に対して折り曲げ自在な耳部６１２を形成し、これら耳部６１２は凹部支持タブ６０４の両側から第２方向外方に延びて、カートン７００の組立時に凹部支持タブ６０４の残りの部分とともに缶１７０の上端部分１７２における凹部１７８の内周面に当接するので、第１の頂壁５１０及び第２の頂壁５１２を外側に一時的に折り曲げて、ブランク５００から凹部支持タブ６０４を突出させて、凹部支持タブ６０４を各缶１７０の上端部分１７２における凹部１７８の内側に位置させ、その後第１の頂壁５１０及び第２の頂壁５１２を内側に折り曲げて、各凹部支持タブ６０４を各缶１７０の上端部分１７２における凹部１７８の内周面と係合させる。
そのため、凹部支持タブ６０４が、缶１７０等の被包装物の包装工程中に、より迅速に、缶１７０等の被包装物の上端部分１７２における凹部１７８の内周壁と係合状態になることができ、被包装物の迅速な包装を行うことができる。
【００８６】
また、本実施形態によれば、凹部支持タブ６０４の両側部（又は一側部）と物品受容開口部６０２の縁部との境界は、第２スリット６０８により形成されているが、凹部支持タブ６０４の両側部（又は一側部）と物品受容開口部６０２の縁部との間に実質的な隙間はなく、凹部支持タブ６０４の両側部（又は一側部）と物品受容開口部２０２との縁部とは互いに当接するように配置されている。
そのため、打ち抜き加工によりブランク５００に物品受容開口部６０２を形成する際に、凹部支持タブ６０４の縁部と物品受容開口部６０２の縁部との間には取り除くべき小片が生じず、物品受容開口部６０２に対応する部分をブランク５００から容易に取り除くことができる。
【００８７】
以上、本発明に係るブランクの実施形態について説明したが、本発明は上記した実施形態に限定されるものではなく、その趣旨を逸脱しない範囲で適宜変更可能である。例えば、上記した実施形態では、２列×３行に整列された複数の缶１７０に装着されるカートン７００を作製するためのブランクについて説明しているが、本発明は例えば１列×３行に整列された複数の缶又は２列×２行に整列された複数の缶に装着されるカートン７００を作製するためのブランクであってもよい。
【００８８】
また、上記した実施形態では、厚紙からなるブランクについて説明しているが、本発明は、厚紙以外の材料からなるブランクであってもよく、厚紙と同程度の可撓性を有する限り、材料は適宜変更可能である。
【００８９】
さらに、上記した実施形態において、底部傾斜部を備えるブランク或いは底部傾斜部及び上部傾斜部を備えるブランクについて説明しているが、本願発明のブランクは傾斜部を備えていない構成であってもよい。そのような構成の場合には、頂部壁は側壁に直接的に接続されており、底部壁は側壁に直接的に接続されている。それ故に、物品保持手段は、第１の側壁及び第１の底壁に亘って又は第２の側壁及び第２の底壁に亘って設けられてもよく、或いは、第１の側壁及び頂壁に亘って又は第２の側壁及び頂壁に亘って設けられてもよい。第２の物品保持手段は第１の側壁及び底壁に亘って、又は第２の側壁及び底壁に亘って設けられてもよい。
【００９０】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００９１】
１００  ブランク
１１０  頂壁
１１２  第１の側壁
１１４  第２の側壁
１１６  第１の底部傾斜部
１１８  第２の底部傾斜部
１２０  第１の底壁
１２２  第２の底壁
１３０  第１パネル折曲線
１３２  第２パネル折曲線
１３４  第３パネル折曲線
１３６  第４パネル折曲線
１３８  第５パネル折曲線
１４０  第６パネル折曲線
１５２  第１折曲部分
１５４  第１折曲線
１５６  一対の破断線
１５８  第２折曲部分
１７０  缶
１７２  上端部分
１７４  下端部分
１７６  周壁
１７８  略平坦な凹部
１８０  ドーム形状の凹部
１９０  第１スリット
２００  物品保持手段
２０２  物品受容開口部
２０４  凹部支持タブ
２０６  タブ折曲線
２０８  第２スリット
２１０  スリット２０８の端部
２１２  耳部
２１４  耳部折曲線又はスリット
２１６  折曲線又はスリット
２３０  連結タブ
２３２  切断線
２３４  第２折曲線
２３６  タブ嵌合開口部
２４０  凹部
２４２  凸部
２４４  物品被覆手段
２４６  第３折曲線
２４８  折り返し片
２５０  第４折曲線
２５２  ウェブ片
２５４  第５折曲線
２５６  被覆片
２５８  第６折曲線
２６０  略ひし形形状の開口部
３００  カートン
３０２  底壁
３０４  包装体
５００  ブランク
５１０  第１の頂壁
５１２  第２の頂壁
５１４  第１の上部傾斜部
５１６  第２の上部傾斜部
５１８  第１の側壁
５２０  第２の側壁
５２２  第１の底部傾斜部
５２４  第２の底部傾斜部
５２６  底壁
５３０  第１パネル折曲線
５３２  第２パネル折曲線
５３４  第３パネル折曲線
５３６  第４パネル折曲線
５３８  第５パネル折曲線
５４０  第６パネル折曲線
５４２  第７パネル折曲線
５４４  第８パネル折曲線
５５０  運搬用開口部
５５２  折曲部分
５５４  第１折曲線
５５６  略Ｕ字形状の切断線
５５８  一対の開口部
５６０  一対の破断線
６００  物品保持手段
６０２  物品受容開口部
６０４  凹部支持タブ
６０６  タブ折曲線
６０８  第２スリット
６１０  凹部支持タブ２０４の接続端部
６１２  延在部分
６１４  耳部折曲線又はスリット
６３０  連結タブ
６３２  一対の第５スリット
６３４  第２折曲線
６３６  タブ嵌合開口部
６３８  略「コ」字状の切断線
６４０  第６スリット
６７０  第２の物品保持手段
６７２  第２物品受容開口部
６７４  保持タブ
６７６  円弧状の縁部
６７８  第７スリット
７００  カートン
７０２  頂壁
７０４  包装体
Ｗ１  凹部支持タブの最大幅
Ｗ２  凹部支持タブの基端部の幅
【図１】
2018095262.tif 000003
【図２】
2018095262.tif 000004
【図３】
2018095262.tif 000005
【図４】
2018095262.tif 000006
【図５】
2018095262.tif 000007
【図６】
2018095262.tif 000008
【図７】
2018095262.tif 000009
【図８】
2018095262.tif 000010